(57)【要約】      （修正有）【課題】電動歯ブラシの使用時における不快感を低減することが可能な構造を備える電動歯ブラシを提供する。【解決手段】パッキン２１Ｌは、弾性変形可能に設けられ、周方向における単位長さにおいて、第１の剛性を有する第１領域Ｒ１と、第１の剛性よりも高い第２の剛性を有する第２領域Ｒ２とを有し、第２領域Ｒ１は、衛生保持部材を挟んで、ブラシ部への負荷が加わる側とは反対側に設けられている。【選択図】図７
0003171254.tif 000002
【実用新案登録請求の範囲】
【請求項１】
一端に開口を有する筒状部と、
前記筒状部に収容されるとともに、一部が前記開口から露出する振動伝達部材と、
前記振動伝達部材の前記開口から露出する領域に装着される、ブラシ部を含む衛生保持部材と、
前記振動伝達部材の外周面と前記筒状部の前記一端の内周面との間に生じる隙間を塞ぐ環状のパッキンと、を備え、
前記パッキンは、弾性変形可能に設けられ、周方向における単位長さにおいて、第１の剛性を有する第１領域と、前記第１の剛性よりも高い第２の剛性を有する第２領域とを有し、
前記第２領域は、前記衛生保持部材を挟んで、前記ブラシ部への負荷が加わる側とは反対側に設けられている、電動歯ブラシ。
【請求項２】
前記パッキンは、
前記振動伝達部材の前記外周面側に位置する内側円筒部と、
前記筒状部の前記一端の前記内周面側に位置する外側円筒部と、
前記内側円筒部の一端側と前記外側円筒部の一端側とを連結する環状プレート部と、を有し、
前記環状プレート部には、他の領域よりも厚さが厚い環状厚肉部が設けられ、
前記第１領域においては、前記環状厚肉部には、前記環状厚肉部の厚さ方向に向かう溝が設けられ、
前記第２領域においては、前記環状厚肉部には、前記環状厚肉部の厚さ方向に向かう溝は設けられていない、請求項１に記載の電動歯ブラシ。
【請求項３】
前記パッキンは、
前記振動伝達部材の前記外周面側に位置する内側円筒部と、
前記筒状部の前記一端の前記内周面側に位置する外側円筒部と、
前記内側円筒部の一端側と前記外側円筒部の一端側とを連結する環状プレート部と、を有し、
前記環状プレート部の前記第２領域においては、前記第１領域よりも厚さが厚い厚肉部が設けられている、請求項１に記載の電動歯ブラシ。
【請求項４】
前記厚肉部は、前記環状プレート部の外面側に設けられている、請求項３に記載の電動歯ブラシ。
【請求項５】
前記厚肉部は、前記環状プレート部の内面側に設けられている、請求項３に記載の電動歯ブラシ。
【請求項６】
前記パッキンは、
前記振動伝達部材の前記外周面側に位置する内側円筒部と、
前記筒状部の前記一端の前記内周面側に位置する外側円筒部と、
前記内側円筒部の一端側と前記外側円筒部の一端側とを連結する環状プレート部と、を有し、
前記環状プレート部の前記第２領域においては、前記環状プレート部よりも剛性の高い部材が埋め込まれている、請求項１に記載の電動歯ブラシ。
【考案の詳細な説明】
【技術分野】
【０００１】
本考案は、電動歯ブラシに関し、特に、駆動ユニットと振動部材とを備え、駆動ユニットによって振動部材が振動される電動歯ブラシに関する。
【背景技術】
【０００２】
電動歯ブラシを開示する文献として、特公平６−８７８１１号公報（特許文献１）、特開平０５−２０７９１４号公報（特許文献２）、特開２００５−３１２６１７号公報（特許文献３）、および特開２００９−２１９５４４号公報（特許文献４）が挙げられる。
【０００３】
上記各特許文献に開示された電動歯ブラシにおいては、ケース内に、駆動ユニットが配置される。ケースの先端に、振動部材としてのブラシが取り付けられる。駆動ユニットには、モータおよび偏心錘が内蔵される。偏心錘は、モータの先端に取り付けられる。モータによって、偏心錘が回転駆動される。偏心錘の回転駆動によって発生した振動は、ブラシに伝達される。ブラシが振動することによって、電動歯ブラシは歯磨きなどに使用されることができる。
【先行技術文献】
【特許文献】
【０００４】
【特許文献１】特公平６−８７８１１号公報
【特許文献２】特開平０５−２０７９１４号公報
【特許文献３】特開２００５−３１２６１７号公報
【特許文献４】特開２００９−２１９５４４号公報
【考案の概要】
【考案が解決しようとする課題】
【０００５】
電動歯ブラシにおいて、筒状のケースの一端に開口が設けられ、この開口から振動伝達部材が露出し、この振動伝達部材に、ブラシ部を含む衛生保持部材が装着されている。この場合に上記開口と衛生保持部材との間に隙間が生じる。この隙間から、ケースの内部への異物の侵入を防止するために、この隙間を塞ぐ環状のパッキンが設けられている。
【０００６】
このパッキンは、通常、ゴム等の弾性部材が用いられ、振動伝達部材の振動を妨げないように構成されている。しかし、全体として低い剛性となるように構成されているために、歯磨き時においては、ブラシ部から外力が加わることで衛生保持部材が大きく倒れ、衛生保持部材の外周面と筒状のケースの開口の内周面との間に位置するパッキンを大きく押し潰す場合がある。
【０００７】
パッキンが大きく押し潰されると、パッキンによる振動低減の効果は期待できなくなり、実質的には、振動伝達部材の振動が、直接ケースの開口の内周面に伝達されることになる。このような状態になると、ケースが大きく振動し、電動歯ブラシの使用者に大きな不快感を与えることになる。
【０００８】
したがって、この考案は上記課題を解決するためになされたもので、電動歯ブラシの使用時における不快感を低減することが可能な構造を備える電動歯ブラシを提供することにある。
【課題を解決するための手段】
【０００９】
この考案に基づいた電動歯ブラシにおいては、一端に開口を有する筒状部と、上記筒状部に収容されるとともに、一部が上記開口から露出する振動伝達部材と、上記振動伝達部材の上記開口から露出する領域に装着される、ブラシ部を含む衛生保持部材と、上記振動伝達部材の外周面と上記筒状部の上記一端の内周面との間に生じる隙間を塞ぐ環状のパッキンとを備える。
【００１０】
上記パッキンは、弾性変形可能に設けられ、周方向における単位長さにおいて、第１の剛性を有する第１領域と、上記第１の剛性よりも高い第２の剛性を有する第２領域とを有し、上記第２領域は、上記衛生保持部材を挟んで、上記ブラシ部への負荷が加わる側とは反対側に設けられている。
【００１１】
他の形態においては、上記パッキンは、上記振動伝達部材の上記外周面側に位置する内側円筒部と、上記筒状部の上記一端の上記内周面側に位置する外側円筒部と、上記内側円筒部の一端側と上記外側円筒部の一端側とを連結する環状プレート部とを有し、上記環状プレート部には、他の領域よりも厚さが厚い環状厚肉部が設けられ、上記第１領域においては、上記環状厚肉部には、上記環状厚肉部の厚さ方向に向かう溝が設けられ、上記第２領域においては、上記環状厚肉部には、上記環状厚肉部の厚さ方向に向かう溝は設けられていない。
【００１２】
他の形態においては、上記パッキンは、上記振動伝達部材の上記外周面側に位置する内側円筒部と、上記筒状部の上記一端の上記内周面側に位置する外側円筒部と、上記内側円筒部の一端側と上記外側円筒部の一端側とを連結する環状プレート部とを有し、上記環状プレート部の上記第２領域においては、上記第１領域よりも厚さが厚い厚肉部が設けられている。
【００１３】
他の形態においては、上記厚肉部は、上記環状プレート部の外面側に設けられている。
他の形態においては、上記厚肉部は、上記環状プレート部の内面側に設けられている。
【００１４】
他の形態においては、上記パッキンは、上記振動伝達部材の上記外周面側に位置する内側円筒部と、上記筒状部の上記一端の上記内周面側に位置する外側円筒部と、上記内側円筒部の一端側と上記外側円筒部の一端側とを連結する環状プレート部とを有し、上記環状プレート部の上記第２領域においては、上記環状プレート部よりも剛性の高い部材が埋め込まれている。
【考案の効果】
【００１５】
この考案によれば、電動歯ブラシの使用時における不快感を低減することが可能な構造を備える電動歯ブラシを提供することが可能となる。
【図面の簡単な説明】
【００１６】
【図１】実施の形態における電動歯ブラシ（組み立てられた後の状態）を示す側面図である。
【図２】実施の形態における電動歯ブラシ（組み立てられた後の状態）を示す断面図である。
【図３】図２中のＩＩＩで囲まれた領域の部分拡大断面図である。
【図４】実施の形態における電動歯ブラシを分解した状態（組み立てられる前の状態）を示す斜視図である。
【図５】実施の形態における電動歯ブラシの分解した状態（組み立てられる前の状態）を示す断面図である。
【図６】実施の形態における電動歯ブラシに用いられる駆動ユニットの分解した状態（組み立てられる前の状態）を示す斜視図である。
【図７】実施の形態における電動歯ブラシに用いられるパッキンの構造を示す斜視図である。
【図８】図７中のＶＩＩＩ−ＶＩＩＩ線矢視断面図である。
【図９】他のパッキンの構造を示す斜視図である。
【図１０】図９中のＸ−Ｘ線矢視断面図である。
【図１１】他のパッキンの構造を示す斜視図である。
【図１２】図１１中のＸＩＩ−ＸＩＩ線矢視断面図である。
【図１３】他のパッキンの構造を示す斜視図である。
【図１４】図１３中のＸＩＶ−ＸＩＶ線矢視断面図である。
【考案を実施するための形態】
【００１７】
本考案に基づいた実施の形態について、以下、図面を参照しながら説明する。実施の形態については、モータの回転によって振動を発生させる電動歯ブラシに基づき説明する。実施の形態の説明において、個数、量などに言及する場合、特に記載がある場合を除き、本考案の範囲は必ずしもその個数、量などに限定されない。実施の形態の説明において、同一の部品、相当部品に対しては、同一の参照番号を付し、重複する説明は繰り返さない場合がある。
【００１８】
（電動歯ブラシ１００）
図１〜図６を参照して、実施の形態における電動歯ブラシ１００について説明する。図１は、電動歯ブラシ１００（組み立てられた後の状態）を示す側面図である。図２は、電動歯ブラシ１００（組み立てられた後の状態）を示す断面図である。図２においては、図示上の便宜のため、電動歯ブラシ１００の上部側と下部側とが互いに分離して図示される。
【００１９】
図３は、図２中のＩＩＩで囲まれた領域の部分拡大断面図、図４は、電動歯ブラシ１００を分解した状態（組み立てられる前の状態）を示す斜視図、図５は、電動歯ブラシ１００の分解した状態（組み立てられる前の状態）を示す断面図、図６は、実施の形態における電動歯ブラシに用いられる駆動ユニットの分解した状態（組み立てられる前の状態）を示す斜視図である。。
【００２０】
図１および図２に示すように、電動歯ブラシ１００は、アウターケース１０、駆動ユニット２０（図２〜図４参照）、蓋部材３０、および衛生保持部材４０を備える。
【００２１】
（アウターケース１０）
アウターケース１０は、電動歯ブラシ１００の使用者によって把持されることができる。アウターケース１０は、筒状部１１および底部１２を含み、全体として有底筒状に構成される（図３参照）。筒状部１１の外表面の所定の位置には、操作部１７が設けられる。筒状部１１の底部１２とは反対側に、蓋部材３０が取り付けられる。蓋部材３０を挟んでアウターケース１０の反対側に、ブラシ部４１およびステム部４２を含む衛生保持部材４０が取り付けられる。
【００２２】
図２〜図５（主として図４）に示すように、筒状部１１の一端１１Ａには、開口１１Ｈが形成される。筒状部１１の一端１１Ａ側の外表面１１ＡＳ（図３参照）には、Ｏリング１３、凹部１４，１５、および凸部１６が設けられる。Ｏリング１３は、外表面１１ＡＳを取り囲むように環状に設けられる。Ｏリング１３は、外表面１１ＡＳとこの外表面１１ＡＳに嵌め込まれる蓋部材３０の内表面との間に形成される隙間を液密状に塞ぐ。Ｏリング１３によって、電動歯ブラシ１００の防水性が向上する（図２参照）。
【００２３】
凹部１４は、駆動ユニット２０の外表面に設けられた固定部２４に係合する。凹部１５は、駆動ユニット２０の外表面に設けられた固定部２５（図２および図５参照）に係合する。凸部１６は、蓋部材３０の内表面に設けられた凹部２６Ｍ（図２および図５参照）に係合する。
【００２４】
底部１２は、内表面１２Ｓを有し、筒状部１１の他端１１Ｂを塞ぐように設けられる。筒状部１１の内表面１１Ｓと底部１２の内表面１２Ｓとは、互いに連続するように形成される。筒状部１１および底部１２は、一体成型されるとよい。当該一体成型によれば、電動歯ブラシ１００としての意匠性が向上する。
【００２５】
筒状部１１および底部１２が一体成型される場合、筒状部１１および底部１２は、たとえば、ＡＢＳ樹脂（Acrylonitrile  Butadiene  Styrene共重合合成樹脂）を射出成型することによって作製される。筒状部１１および底部１２は、別部材として準備された後に、互いに一体化されてもよい。
【００２６】
（駆動ユニット２０）
図４および図５に示すように、駆動ユニット２０は、一端２０Ａから他端２０Ｂに向かって略棒状に構成される。矢印ＡＲ１に示すように、駆動ユニット２０は、筒状部１１の開口１１Ｈを通して、アウターケース１０内に挿入および配置される。
【００２７】
上述のとおり、駆動ユニット２０の（ミドルケース２１に設けられた）固定部２４は、アウターケース１０における凹部１４に係合する。駆動ユニット２０の（ミドルケース２１に設けられた）固定部２５（図４参照）は、アウターケース１０における凹部１５に係合する。固定部２４および凹部１４同士の係合、ならびに固定部２５および凹部１５同士の係合によって、駆動ユニット２０はアウターケース１０（筒状部１１の内表面１１Ｓ）に対して固定される。
【００２８】
図６を参照して、駆動ユニット２０について詳細に説明する。図６は、駆動ユニット２０の分解した状態（組み立てられる前の状態）を示す第１斜視図である。図６においては、インナーケース２１Ｍおよびインナーケース２１Ｎが互いに組み合わされ、インナーケース２１ＭＮが構成された状態が示される。
【００２９】
駆動ユニット２０は、振動伝達部材２２（振動伝達部）、パッキン２１Ｌ、スプリング２１Ｐ、弾性部材２１Ｒ、弾性体２１Ｊ、インナーケース２１ＭＮ、ミドルケース２１、制御基板２３、固定部２６、モータ２８（図５参照）、電源部２７（図５参照）等から構成される。
【００３０】
（振動伝達部材２２）
振動伝達部材２２は、たとえばステンレス製の部材から構成される。振動伝達部材２２は、電動歯ブラシ１００（図２参照）が組み立てられた状態においては、インナーケース２１ＭＮ（詳細は後述する）および衛生保持部材４０の間に位置する。
【００３１】
振動伝達部材２２は、略円錐状に形成された取付部２２Ｓと、略円柱状に形成された軸部２２Ｔとを有する。取付部２２Ｓの形状は、衛生保持部材４０（図２および図３参照）に設けられた凹部４３の形状に対応している。取付部２２Ｓに、衛生保持部材４０が取り付けられる。取付部２２Ｓの一端が、駆動ユニット２０における一端２０Ａを構成する。
【００３２】
軸部２２Ｔは、軸部２２Ｔの一端２０Ａとは反対側に設けられる。軸部２２Ｔの端部近傍は平板状に構成される。この平板状に構成された部分には、貫通孔２２Ｈが設けられる。この貫通孔２２Ｈと、弾性部材２１Ｒにおける貫通孔２１ＵＨと、インナーケース２１Ｍにおける開口２１Ｅ１には、ボルト２１Ｂが挿通される（矢印ＡＲ１６参照）。
【００３３】
パッキン２１Ｌは、ゴム等の弾性を有する部材から、略円環状に形成される。パッキン２１Ｌは、電動歯ブラシ１００（駆動ユニット２０）が組み立てられた状態においては、後述するミドルケース２１の先端部２１Ｋに覆い被さるように配置される（図３参照）。パッキン２１Ｌは、電動歯ブラシ１００の内部への異物の侵入を阻止する。特に、防水性を向上させる。パッキン２１Ｌは、貫通孔２１Ｇを有する。貫通孔２１Ｇ内に、振動伝達部材２２の軸部２２Ｔが嵌め込まれる（矢印ＡＲ１２参照）。なお、パッキン２１Ｌの詳細構造については、後述する。環状のスプリング２１Ｐは、パッキン２１Ｌの内側に取り付けられる（図３参照）。
【００３４】
（弾性部材２１Ｒ）
弾性部材２１Ｒは、ゴム等の部材から構成される。なお、弾性部材２１Ｒは、必要に応じて設けられるとよい。弾性部材２１Ｒは、次述するインナーケース２１ＭＮの一端２１Ｄ１に設けられた開口２１ＤＨに嵌め込まれる（矢印ＡＲ１５参照）。弾性部材２１Ｒは、円板部２１Ｑおよび基台部２１Ｕを有する。円板部２１Ｑの略中央には、凹部２１ＱＨ（図５参照）が設けられる。凹部２１ＱＨには、振動伝達部材２２の下端部が嵌め込まれる（矢印ＡＲ１４参照）。
【００３５】
基台部２１Ｕは、中空の略角柱状に形成される。基台部２１Ｕの中央を貫通するように、貫通孔２１ＵＨが設けられる。貫通孔２１ＵＨは、振動伝達部材２２の貫通孔２２Ｈに対応している。
【００３６】
上述のとおり、振動伝達部材２２の貫通孔２２Ｈと、弾性部材２１Ｒにおける貫通孔２１ＵＨと、インナーケース２１Ｍにおける開口２１Ｅ１と、インナーケース２１Ｎにおける開口２１Ｅ１とには、これらを連結するようにボルト２１Ｂが嵌め込まれる。ボルト２１Ｂの締結によって、振動伝達部材２２は、インナーケース２１ＭＮの一端２１Ｄ１に、弾性部材２１Ｒを挟んで固定される。
【００３７】
（インナーケース２１ＭＮ）
第１ケースとしてのインナーケース２１ＭＮは、インナーケース２１Ｍおよびインナーケース２１Ｎから構成される。
【００３８】
インナーケース２１Ｍは、駆動ユニット２０を構成する構造部材であり、駆動ユニット２０の上部側（駆動ユニット２０の一端２０Ａ側）から下部側（駆動ユニット２０の他端２０Ｂ側）の略全体にわたって設けられる。
【００３９】
図６に示すように、インナーケース２１Ｍの上部は、半割の円筒形状に構成される。この半割の円筒形状の部分の内側に、モータ２８および偏心錘２８Ｗが配置される。偏心錘２８Ｗは、モータ２８の回転軸に接続され、モータ２８によって回転駆動される。
【００４０】
インナーケース２１Ｎも、半割の円筒形状に構成される。インナーケース２１Ｍの上部とインナーケース２１Ｎとは、互いに組み合わされことによって円筒形状部分２１Ｙを構成する。モータ２８および偏心錘２８Ｗは、この円筒形状部分２１Ｙ（図５参照）の内部に含まれる。互いに組み合わされたインナーケース２１Ｍおよびインナーケース２１Ｎによって、インナーケース２１ＭＮが構成される。
【００４１】
インナーケース２１ＭＮの一端２１Ｄ１側と他端２１Ｄ２側との間には、台座部２１Ｚが設けられる。弾性体２１Ｊは、円環状のゴム等の部材から構成され、台座部２１Ｚ上に載置される（矢印ＡＲ１０参照）。
【００４２】
制御基板２３は、駆動ユニット２０の外形形状に沿いつつ、駆動ユニット２０の長手方向に沿って延在するように設けられる。制御基板２３の表面には、各種のスイッチが実装される。これらのスイッチは、アウターケース１０に設けられた操作部１７の位置に対応するように配置される。
【００４３】
電源部２７（図２参照）は、インナーケース２１Ｍの内部に配置され、制御基板２３およびモータ２８に電気的に接続される。給電用コイル２９も、インナーケース２１Ｍの内部に配置される。給電用コイル２９は、電源部２７に接続され、電動歯ブラシ１００が充電機（図示せず）上に載置された際に、電源部２７を充電する。
【００４４】
（ミドルケース２１）
図６に示すように、ミドルケース２１は、円筒状に形成される。ミドルケース２１は、インナーケース２１ＭＮの円筒形状部分２１Ｙを取り囲むように配置される（矢印ＡＲ１１参照）。
【００４５】
上述のとおり、ミドルケース２１の外表面には、固定部２４が設けられる。駆動ユニット２０がアウターケース１０（図２参照）内に配置された状態では、固定部２４はアウターケース１０における凹部１４（図２参照）に係合する。
【００４６】
ミドルケース２１は、弾性体２１Ｊが台座部２１Ｚ上に載置された後、インナーケース２１ＭＮの円筒形状部分２１Ｙの周りに嵌め込まれる。弾性体２１Ｊは、ミドルケース２１の後端部２１Ｖとインナーケース２１ＭＮの台座部２１Ｚとの間に挟まれる。弾性体２１Ｊは、インナーケース２１ＭＮからミドルケース２１に伝わる振動を低減する。弾性体２１Ｊによって、インナーケース２１ＭＮのミドルケース２１に対する防振（制振）効果を得ることができる。
【００４７】
円筒形状部分２１Ｙの周りにミドルケース２１が嵌め込まれた後、インナーケース２１ＭＮ（円筒形状部分２１Ｙ）の一端２１Ｄ１に設けられた開口２１ＤＨに、弾性部材２１Ｒが嵌め込まれる（矢印ＡＲ１５参照）。弾性部材２１Ｒの上方において、スプリング２１Ｐおよびパッキン２１Ｌが順次積み上げられる（矢印ＡＲ１４参照）。
【００４８】
この状態で、振動伝達部材２２が、パッキン２１Ｌの貫通孔２１Ｇ内、スプリング２１Ｐ内、および弾性部材２１Ｒの凹部２１ＱＨ内に差し込まれる。振動伝達部材２２の貫通孔２２Ｈ、弾性部材２１Ｒの貫通孔２１ＵＨ、インナーケース２１Ｍの開口２１Ｅ１（図５参照）、およびインナーケース２１Ｎの開口２１Ｅ２が互いに連通する。ボルト２１Ｂがこれらに嵌め込まれる。
【００４９】
ボルト２１Ｂの締結によって、振動伝達部材２２の下端は、インナーケース２１ＭＮの一端２１Ｄ１に、弾性部材２１Ｒを挟んで固定される（図２）。図２に示すように、振動伝達部材２２の下端は、モータ２８に取り付けられた偏心錘２８Ｗに対向するように配置される。
【００５０】
開口２１Ｆ１に、ボルト２１Ｃが嵌め込まれる（矢印ＡＲ１７、および図２参照）。ボルト２１Ｂ，２１Ｃの締結によって、インナーケース２１Ｎおよびインナーケース２１Ｍは相互に接合される。振動伝達部材２２の取付部２２Ｓ（図５参照）は、ミドルケース２１およびパッキン２１Ｌの上方から突出する（図２参照）。
【００５１】
（固定部２６）
固定部２６は、インナーケース２１Ｍの他端２１Ｄ２に設けられた嵌合凸部２１Ｔ（図２参照）に取り付けられる。固定部２６は、駆動ユニット２０の他端２０Ｂに位置する。駆動ユニット２０は、以上のように構成される。
【００５２】
（蓋部材３０・衛生保持部材４０）
図４および図５を再び参照して、蓋部材３０は、一端３１から他端３２に向かって徐々に直径が大きくなる円環状に形成される。蓋部材３０の内表面には、アウターケース１０の凸部１６に係合する環状の凹部２６Ｍ（図５参照）が設けられる。
【００５３】
蓋部材３０は、アウターケース１０内に駆動ユニット２０が配置された状態で、アウターケース１０（筒状部１１）の一端１１Ａに取り付けられる（矢印ＡＲ２参照）。筒状部１１の一端１１Ａ側における外表面１１ＡＳ（図４参照）、および、駆動ユニット２０（ミドルケース２１）の一端２０Ａ側に設けられたパッキン２１Ｌは、筒径方向の外側から蓋部材３０によって覆われる。
【００５４】
衛生保持部材４０は、インナーケース２１ＭＮの外部に位置する。衛生保持部材４０は、口内の衛生を保持するためのブラシ部４１およびステム部４２を含む。ブラシ部４１は、たとえばナイロン（毛状）などから構成される。ステム部４２は、たとえばポリカーボネートなどから構成される。意匠上の観点からは、ステム部４２の下部側が不透明の部材から構成され、ステム部４２の上部側が透明の部材から構成されてもよい。
【００５５】
ステム部４２の内部には、凹部４３が設けられる。凹部４３は、振動伝達部材２２における取付部２２Ｓ（図６参照）の表面形状に対応する。凹部４３と振動伝達部材２２とが互いに嵌合することによって、衛生保持部材４０が駆動ユニット２０に固定される（矢印ＡＲ３参照）。
【００５６】
衛生保持部材４０が駆動ユニット２０に対して固定された状態では、衛生保持部材４０は蓋部材３０を挟んでアウターケース１０の反対側に位置する。衛生保持部材４０としては、マッサージ用のシリコン片などであってもよい。
【００５７】
（電動歯ブラシ１００の組み立て）
電動歯ブラシ１００が組み立てられる際には、駆動ユニット２０が、筒状部１１の開口１１Ｈを通して、アウターケース１０内に挿入および配置される。駆動ユニット２０の（ミドルケース２１に設けられた）固定部２４は、アウターケース１０における凹部１４に係合する。駆動ユニット２０の（ミドルケース２１に設けられた）固定部２５（図５参照）は、アウターケース１０における凹部１５に係合する。固定部２４および凹部１４同士の係合、ならびに固定部２５および凹部１５同士の係合によって、駆動ユニット２０はアウターケース１０（筒状部１１の内表面１１Ｓ）に対して固定される。
【００５８】
駆動ユニット２０の他端２０Ｂに設けられた固定部２６は、アウターケース１０における底部１２の内表面１２Ｓに対して互いに固定されるように構成されてもよい。駆動ユニット２０の他端２０Ｂに固定部２６が設けられることによって、駆動ユニット２０は筒状部１１の内表面１１Ｓに対してより安定した状態で固定されることができる。
【００５９】
アウターケース１０における凹部１４および駆動ユニット２０における固定部２４同士、ならびにアウターケース１０における凹部１５および駆動ユニット２０における固定部２５同士が、互いに強固に固定される場合などには、固定部２６が底部１２の内表面１２Ｓに固定されるという構成は、必要に応じて採用されるとよい。
【００６０】
駆動ユニット２０における固定部２６が底部１２の内表面１２Ｓに固定される場合、固定部２６はシリコンゴムなどの弾性体から構成されるとよい。駆動ユニット２０のアウターケース１０に対する防振（制振）効果を得ることができる。固定部２６としては、インナーケース２１Ｍと一体的に構成されてもよい。この場合、インナーケース２１Ｍの下端（駆動ユニット２０の他端２０Ｂ）は、比較的柔らかい樹脂などから、インナーケース２１Ｍの一部として構成されるとよい。
【００６１】
駆動ユニット２０における固定部２６が底部１２の内表面１２Ｓに固定される場合、底部１２の内表面１２Ｓは球面状に凹設されるとよい。固定部２６は、底部１２の内表面１２Ｓの形状に対応する半球状に凸設されるとよい。当該構成によれば、固定部２６は、内表面１２Ｓに対してより安定した状態で固定されることができる。
【００６２】
電動歯ブラシ１００においては、駆動ユニット２０が、凹部１４，１５および固定部２４，２５同士による固定（ならびに必要に応じて固定部２６および底部１２同士による固定）によって、アウターケース１０に対して固定される。筒状部１１の内表面１１Ｓには、駆動ユニット２０を固定するためのリブ（弾性を有する部材）などがさらに設けられてもよい。また、駆動ユニット２０のミドルケース２１の外周面に、弾性を有する部材がさらに設けられていてもよい。
【００６３】
（電動歯ブラシ１００の動作）
図５を再び参照して、電動歯ブラシ１００においては、操作部１７が操作されることによって、電源のＯＮ／ＯＦＦが切り替えられる。電源ＯＮ時には、制御基板２３の制御によって、電源部２７からモータ２８に電力が供給される。モータ２８によって、偏心錘２８Ｗが回転駆動される。
【００６４】
偏心錘２８Ｗの回転によって、偏心錘２８Ｗおよびモータ２８が振動する。この振動は、インナーケース２１ＭＮ（インナーケース２１Ｍ，２１Ｎ）に伝達される。上述のとおり、振動伝達部材２２の下端は、（弾性部材２１Ｒが設けられる場合は、）弾性部材２１Ｒを挟んで、インナーケース２１ＭＮの一端２１Ｄ１（図６参照）に固定される。
【００６５】
インナーケース２１ＭＮに生じた振動は、（弾性部材２１Ｒが設けられる場合は、）弾性部材２１Ｒを通して、振動伝達部材２２に伝達される。弾性部材２１Ｒが設けられない場合は、インナーケース２１ＭＮに生じた振動は、振動伝達部材２２に直接的に伝達される。振動伝達部材２２に伝達された振動は、振動伝達部材２２に取り付けられた衛生保持部材４０（特に、ブラシ部４１）に伝達される。ブラシ部４１の振動によって、電動歯ブラシ１００は歯磨きなどに使用されることが可能となる。
【００６６】
（パッキン２１Ｌ）
次に、図７および図８を参照して、本実施の形態に採用されるパッキン２１Ｌの構造について説明する。なお、図７は、パッキン２１Ｌの構造を示す斜視図であり、図８は、図７中のＶＩＩＩ−ＶＩＩＩ線矢視断面図である。
【００６７】
このパッキン２１Ｌは、ゴム、合成樹脂等を用いて弾性変形可能に設けられ、周方向における単位長さにおいて、第１の剛性を有する第１領域Ｒ１と、この第１領域Ｒ１の第１の剛性よりも高い第２の剛性を有する第２領域Ｒ２とを有している。第２領域Ｒ２は、衛生保持部材４０を挟んで、ブラシ部４１への負荷が加わる側（矢印Ｆ方向）とは反対側に設けられている。
【００６８】
本実施の形態では、ブラシ部４１への負荷が加わる方向（矢印Ｆ方向）を中心として両側に９０°の広がりを持って、１８０°の領域が第１領域Ｒ１を構成し、他の１８０°の領域が第２領域Ｒ２を構成している。なお、１８０°の第１領域Ｒ１および１８０°の第２領域Ｒ２に限定されることなく、たとえば、ブラシ部４１への負荷が加わる方向（矢印Ｆ方向）を中心として両側に４５°の広がりを持って、９０°の領域が第１領域Ｒ１を構成し、他の２７０°の領域が第２領域Ｒ２を構成するようにしてもかまわない。
【００６９】
パッキン２１Ｌの具体的な構成としては、上述した振動伝達部材２２の外周面側に位置する内側円筒部２１Ｌ１と、筒状部１１の一端１１Ａの内周面側に位置する外側円筒部２１Ｌ２と、内側円筒部２１Ｌ１の一端側と外側円筒部２１Ｌ２の一端側とを連結する環状プレート部２１Ｌ３とを有している。
【００７０】
さらに、環状プレート部２１Ｌ３には、他の領域よりも厚さが厚い環状厚肉部２１Ｌ４が設けられ、第１領域Ｒ１においては、環状厚肉部２１Ｌ４には、環状厚肉部２１Ｌ４の厚さ方向に向かう溝Ｍが設けられている。なお、第２領域Ｒ２においては、環状厚肉部２１Ｌ４には、環状厚肉部２１Ｌ４の厚さ方向に向かう溝Ｍは設けられていない。
【００７１】
このように、環状プレート部２１Ｌ３の第１領域Ｒ１には溝Ｍを設け、第２領域Ｒ２には溝Ｍを設けない構造を採用することで、周方向における単位長さにおいて、第１領域Ｒ１の剛性と第２領域Ｒ２の剛性とを比較した場合には、第２領域Ｒ２の剛性の方が高くなる。
【００７２】
その結果、ブラシ部４１への負荷が加わる方向（矢印Ｆ方向）から力が加わった場合でも、第２領域Ｒ２の剛性が高いことから、パッキン２１Ｌが大きく押し潰されることはない。その結果、パッキン２１Ｌによる振動低減の効果は維持され、振動伝達部材２２からパッキン２１Ｌに伝わる振動を、パッキン２１Ｌで吸収することができる。これにより、電動歯ブラシの使用者へ与える不快感を低減させることが可能となる。
【００７３】
（他のパッキンの構造）
図９および図１０を参照して、他の構造を有するパッキン２１Ｌａについて説明する。なお、図９は、パッキン２１Ｌａの構造を示す斜視図であり、図１０は、図９中のＸ−Ｘ線矢視断面図である。
【００７４】
このパッキン２１Ｌａも、上記パッキン２１Ｌと同様に、ゴム、合成樹脂等を用いて弾性変形可能に設けられ、周方向における単位長さにおいて、第１の剛性を有する第１領域Ｒ１と、この第１領域Ｒ１の第１の剛性よりも高い第２の剛性を有する第２領域Ｒ２とを有している。第２領域Ｒ２は、衛生保持部材４０を挟んで、ブラシ部４１への負荷が加わる側（矢印Ｆ方向）とは反対側に設けられている。
【００７５】
このパッキン２１Ｌａも、ブラシ部４１への負荷が加わる方向（矢印Ｆ方向）を中心として両側に９０°の広がりを持って、１８０°の領域が第１領域Ｒ１を構成し、他の１８０°の領域が第２領域Ｒ２を構成している。なお、１８０°の第１領域Ｒ１および１８０°の第２領域Ｒ２に限定されることなく、たとえば、ブラシ部４１への負荷が加わる方向（矢印Ｆ方向）を中心として両側に４５°の広がりを持って、９０°の領域が第１領域Ｒ１を構成し、他の２７０°の領域が第２領域Ｒ２を構成するようにしてもかまわない。
【００７６】
パッキン２１Ｌａの具体的な構成としては、上述した振動伝達部材２２の外周面側に位置する内側円筒部２１Ｌ１と、筒状部１１の一端１１Ａの内周面側に位置する外側円筒部２１Ｌ２と、内側円筒部２１Ｌ１の一端側と外側円筒部２１Ｌ２の一端側とを連結する環状プレート部２１Ｌ３とを有している。
【００７７】
さらに、環状プレート部２１Ｌ３には、第２領域Ｒ２において、第１領域Ｒ１よりも厚さが厚い厚肉部２１Ｌ５が、環状プレート部２１Ｌ３の外面側に設けられている。パッキン２１Ｌａにおいては、厚肉部２１Ｌ５の断面は半円形状であるが、半円形状に限定されることなく、矩形形状であってもよい。
【００７８】
このように、環状プレート部２１Ｌ３の第２領域Ｒ２には厚肉部２１Ｌ５を設け、第１領域Ｒ１には厚肉部２１Ｌ５を設けない構造を採用することで、周方向における単位長さにおいて、第１領域Ｒ１の剛性と第２領域Ｒ２の剛性とを比較した場合には、第２領域Ｒ２の剛性の方が高くなる。
【００７９】
その結果、ブラシ部４１への負荷が加わる方向（矢印Ｆ方向）から力が加わった場合でも、第２領域Ｒ２の剛性が高いことから、パッキン２１Ｌａが大きく押し潰されることはない。その結果、パッキン２１Ｌａによる振動低減の効果は維持され、振動伝達部材２２からパッキン２１Ｌａに伝わる振動を、パッキン２１Ｌａで吸収することができる。これにより、電動歯ブラシの使用者へ与える不快感を低減させることが可能となる。
【００８０】
（他のパッキンの構造）
図１１および図１２を参照して、他の構造を有するパッキン２１Ｌｂについて説明する。なお、図１１は、パッキン２１Ｌｂの構造を示す斜視図であり、図１２は、図１１中のＸＩＩ−ＸＩＩ線矢視断面図である。
【００８１】
このパッキン２１Ｌｂも、上記パッキン２１Ｌ，２１Ｌａと同様に、ゴム、合成樹脂等を用いて弾性変形可能に設けられ、周方向における単位長さにおいて、第１の剛性を有する第１領域Ｒ１と、この第１領域Ｒ１の第１の剛性よりも高い第２の剛性を有する第２領域Ｒ２とを有している。第２領域Ｒ２は、衛生保持部材４０を挟んで、ブラシ部４１への負荷が加わる側（矢印Ｆ方向）とは反対側に設けられている。
【００８２】
このパッキン２１Ｌｂも、ブラシ部４１への負荷が加わる方向（矢印Ｆ方向）を中心として両側に９０°の広がりを持って、１８０°の領域が第１領域Ｒ１を構成し、他の１８０°の領域が第２領域Ｒ２を構成している。なお、１８０°の第１領域Ｒ１および１８０°の第２領域Ｒ２に限定されることなく、たとえば、ブラシ部４１への負荷が加わる方向（矢印Ｆ方向）を中心として両側に４５°の広がりを持って、９０°の領域が第１領域Ｒ１を構成し、他の２７０°の領域が第２領域Ｒ２を構成するようにしてもかまわない。
【００８３】
パッキン２１Ｌｂの具体的な構成としては、上述した振動伝達部材２２の外周面側に位置する内側円筒部２１Ｌ１と、筒状部１１の一端１１Ａの内周面側に位置する外側円筒部２１Ｌ２と、内側円筒部２１Ｌ１の一端側と外側円筒部２１Ｌ２の一端側とを連結する環状プレート部２１Ｌ３とを有している。
【００８４】
さらに、環状プレート部２１Ｌ３には、第２領域Ｒ２において、第１領域Ｒ１よりも厚さが厚い厚肉部２１Ｌ６が、環状プレート部２１Ｌ３の内面側において、外側円筒部２１Ｌ２に接するように設けられている。パッキン２１Ｌｂにおいては、厚肉部２１Ｌ６の断面は矩形形状であるが、矩形形状に限定されることなく、半円形状であってもよい。
【００８５】
このように、環状プレート部２１Ｌ３の第２領域Ｒ２には厚肉部２１Ｌ６を設け、第１領域Ｒ１には厚肉部２１Ｌ６を設けない構造を採用することで、周方向における単位長さにおいて、第１領域Ｒ１の剛性と第２領域Ｒ２の剛性とを比較した場合には、第２領域Ｒ２の剛性の方が高くなる。
【００８６】
その結果、ブラシ部４１への負荷が加わる方向（矢印Ｆ方向）から力が加わった場合でも、第２領域Ｒ２の剛性が高いことから、パッキン２１Ｌｂが大きく押し潰されることはない。その結果、パッキン２１Ｌｂによる振動低減の効果は維持され、振動伝達部材２２からパッキン２１Ｌｂに伝わる振動を、パッキン２１Ｌｂで吸収することができる。これにより、電動歯ブラシの使用者へ与える不快感を低減させることが可能となる。
【００８７】
（他のパッキンの構造）
図１３および図１４を参照して、他の構造を有するパッキン２１Ｌｃについて説明する。なお、図１３は、パッキン２１Ｌｃの構造を示す斜視図であり、図１４は、図１３中のＸＩＶ−ＸＩＶ線矢視断面図である。
【００８８】
このパッキン２１Ｌｃも、上記パッキン２１Ｌ，２１Ｌａ，２１Ｌｂと同様に、ゴム、合成樹脂等を用いて弾性変形可能に設けられ、周方向における単位長さにおいて、第１の剛性を有する第１領域Ｒ１と、この第１領域Ｒ１の第１の剛性よりも高い第２の剛性を有する第２領域Ｒ２とを有している。第２領域Ｒ２は、衛生保持部材４０を挟んで、ブラシ部４１への負荷が加わる側（矢印Ｆ方向）とは反対側に設けられている。
【００８９】
このパッキン２１Ｌｃも、ブラシ部４１への負荷が加わる方向（矢印Ｆ方向）を中心として両側に９０°の広がりを持って、１８０°の領域が第１領域Ｒ１を構成し、他の１８０°の領域が第２領域Ｒ２を構成している。なお、１８０°の第１領域Ｒ１および１８０°の第２領域Ｒ２に限定されることなく、たとえば、ブラシ部４１への負荷が加わる方向（矢印Ｆ方向）を中心として両側に４５°の広がりを持って、９０°の領域が第１領域Ｒ１を構成し、他の２７０°の領域が第２領域Ｒ２を構成するようにしてもかまわない。
【００９０】
パッキン２１Ｌｃの具体的な構成としては、上述した振動伝達部材２２の外周面側に位置する内側円筒部２１Ｌ１と、筒状部１１の一端１１Ａの内周面側に位置する外側円筒部２１Ｌ２と、内側円筒部２１Ｌ１の一端側と外側円筒部２１Ｌ２の一端側とを連結する環状プレート部２１Ｌ３とを有している。
【００９１】
さらに、環状プレート部２１Ｌ３には、第２領域Ｒ２において、環状プレート部２１Ｌ３よりも剛性の高い部材２１Ｌ７が埋め込まれている。本実施の形態では、部材２１Ｌ７として、樹脂部材が埋め込まれている。
【００９２】
このように、環状プレート部２１Ｌ３の第２領域Ｒ２には部材２１Ｌ７を埋め込み、第１領域Ｒ１には部材２１Ｌ７を埋め込まない構造を採用することで、周方向における単位長さにおいて、第１領域Ｒ１の剛性と第２領域Ｒ２の剛性とを比較した場合には、第２領域Ｒ２の剛性の方が高くなる。
【００９３】
その結果、ブラシ部４１への負荷が加わる方向（矢印Ｆ方向）から力が加わった場合でも、第２領域Ｒ２の剛性が高いことから、パッキン２１Ｌｃが大きく押し潰されることはない。その結果、パッキン２１Ｌｃによる振動低減の効果は維持され、振動伝達部材２２からパッキン２１Ｌｃに伝わる振動を、パッキン２１Ｌｃで吸収することができる。これにより、電動歯ブラシの使用者へ与える不快感を低減させることが可能となる。
【００９４】
以上、本考案の実施の形態について説明したが、今回開示された実施の形態は全ての点で例示であって制限的なものではないと考えられるべきである。本考案の範囲は実用新案登録請求の範囲によって示され、実用新案登録請求の範囲と均等の意味および範囲内での全ての変更が含まれることが意図される。
【符号の説明】
【００９５】
１０  アウターケース、１１  筒状部、１１Ａ，２０Ａ，３１  一端、１１ＡＳ  外表面、１１Ｂ，２０Ｂ，３２  他端、１１Ｈ，２１ＤＨ，２１Ｅ１，２１Ｅ２，２１Ｆ１  開口、１１Ｓ，１２Ｓ  内表面、１２  底部、１３  Ｏリング、１４，１５，２１ＱＨ，２６Ｍ，４３  凹部、１６  凸部、１７  操作部、２０  駆動ユニット、２１  ミドルケース、２１Ｂ，２１Ｃ  ボルト、２１Ｇ，２１ＵＨ  貫通孔、２１Ｊ  弾性体、２１Ｋ  先端部、２１Ｌ，２１Ｌａ，２１Ｌｂ，２１Ｌｃ  パッキン、２１Ｌ１  内側円筒部、２１Ｌ２  外側円筒部、２１Ｌ３  環状プレート部、２１Ｌ４  環状厚肉部、２１Ｌ５，２１Ｌ６  厚肉部、２１Ｌ７  部材、２１Ｍ，２１Ｎ  インナーケース、２１ＭＮ  インナーケース、２１Ｐ  スプリング、２１Ｑ  円板部、２１Ｒ  弾性部材、２１Ｔ  嵌合凸部、２１Ｕ  基台部、２１Ｖ  後端部、２１Ｙ  円筒形状部分、２１Ｚ  台座部、２２  振動伝達部材、２２Ｓ  取付部、２２Ｔ  軸部、２３  制御基板、２４，２５，２６  固定部、２７  電源部、２８  モータ、２８Ｗ  偏心錘、２９  給電用コイル、３０  蓋部材、４０  衛生保持部材、４１  ブラシ部、４２  ステム部、１００  電動歯ブラシ、Ｍ  溝。
【図１】
0003171254.tif 000003
【図２】
0003171254.tif 000004
【図３】
0003171254.tif 000005
【図４】
0003171254.tif 000006
【図５】
0003171254.tif 000007
【図６】
0003171254.tif 000008
【図７】
0003171254.tif 000009
【図８】
0003171254.tif 000010
【図９】
0003171254.tif 000011
【図１０】
0003171254.tif 000012
【図１１】
0003171254.tif 000013
【図１２】
0003171254.tif 000014
【図１３】
0003171254.tif 000015
【図１４】
0003171254.tif 000016